【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
自律分散的なネットワークを構築する複数の通信装置を含む通信システムであって：
信号の送信及び／又は受信するための複数の時間枠から構成された所定周期のスーパーフレームを自己の通信装置のクロック情報に基づいて設定するステップと；
前記スーパーフレームにおいて，少なくともビーコン信号を送信するための時間枠を決定するステップと；
自己の通信装置と通信可能な通信エリア内に存在する他の通信装置により前記スーパーフレームに従い所定周期で送信されたビーコン信号を前記自己の通信装置が受信するステップと；
前記他の通信装置からのビーコン信号に記載された信号を送信及び／又は受信するための時間枠と，少なくとも前記自己の通信装置がビーコン信号を送信するための時間枠とを時間枠管理表に前記自己の通信装置のクロック情報に基づいて割当てるステップと；
を含むことを特徴とする，通信システム。
【請求項２】
自律分散的なネットワークを構築する複数の通信装置を含む通信システムであって：
１又は２以上の前記通信装置から構成される１又は２以上のネットワークグループにおいて共通のクロック情報を設定するステップと；
前記共通クロック情報に基づいて，信号の送信及び／又は受信するための複数の時間枠から構成された所定周期のスーパーフレームを設定するステップと；
前記スーパーフレームにおいて，前記各ネットワークグループ内の各通信装置の少なくともビーコン信号を送信するための時間枠を決定するステップと；
前記ネットワークグループ内の通信装置により前記スーパーフレームに従い所定周期で送信されたビーコン信号を受信するステップと；
前記ネットワークグループ内の通信装置からのビーコン信号に記載された信号を送信及び／又は受信するための時間枠と，少なくとも前記決定したビーコン信号を送信するための時間枠とを時間枠管理表に前記クロック情報に基づいて割当てるステップと；
を含むことを特徴とする，通信システム。
【請求項３】
信号の送信及び／又は受信するための複数の時間枠から構成された所定周期のスーパーフレームを自己のクロック情報に基づいて設定するフレーム設定手段と；
前記スーパーフレームにおける少なくともビーコン信号を送信するための時間枠を決定する時間枠決定手段と；
スーパーフレームに従い所定周期の間隔で送信されるビーコン信号を受信するビーコン信号受信手段と；
前記ビーコン信号受信手段により受信したビーコン信号に記載された時間枠パラメータに基づいて，信号を送信及び／又は受信するための時間枠を求め，その信号を送信及び／又は受信するための時間枠と，少なくとも前記ビーコン信号を送信するための時間枠とを時間枠管理表に前記クロック情報に基づいて割当てる時間枠管理手段と；
を備えることを特徴とする，通信装置。
【請求項４】
前記通信装置は，該通信装置と通信可能な通信エリア内に存在する他の通信装置の存在を把握するために，ビーコン信号をスキャンするスキャン周期を設定するスキャン周期設定手段と；
前記スキャン周期の際に，前記スーパーフレームで定められた所定周期の間，ビーコン信号を受信するビーコン信号受信処理を連続的に実行するスキャン手段と；
前記スキャン手段によるビーコン信号受信処理の都度，前記通信エリア内に存在する通信装置を把握する把握手段とを，さらに備えることを特徴とする，請求項３に記載の，通信装置。
【請求項５】
前記通信装置は，前記通信エリア内に存在する通信装置からのビーコン信号の受信時刻を自己のクロック情報を基準として計時する計時手段とを備え，
前記時間枠決定手段は，前記計時手段により計時された時刻に該当する時間枠を，前記通信エリア内に存在する通信装置からのビーコン信号を受信するための時間枠として決定し，
前記時間枠管理手段は，前記ビーコン信号の受信が該通信装置における時間枠と同期の取れていない場合，前記計時された時刻に該当する時間枠と，その隣の時間枠とを前記時間枠管理表に記載することを特徴とする，請求項３に記載の通信装置。
【請求項６】
前記時間枠管理手段は，前記通信エリア内に存在する通信装置からのビーコン信号に記載された前記時間枠パラメータに基づき，前記信号を送信及び／又は受信するための時間枠を決定するとともに，その時間枠を自己のクロック情報を基準としたアクセス時間に変換し，該アクセス時間に基づいて各通信装置のアクセス制御をすることを，特徴とする，請求項３に記載の通信装置。
【請求項７】
前記通信装置は，前記時間枠管理表に記載された前記時間枠パラメータが設定された前記ビーコン信号を生成するビーコン信号生成手段と；
前記ビーコン信号を送信するビーコン信号送信手段とを備え，
前記ビーコン信号送信手段が前記ビーコン信号生成手段により生成されたビーコン信号を送信することで，前記通信エリア内に存在する他の通信装置に前記ビーコン信号に設定された時間枠パラメータが報知されることを特徴とする，請求項３に記載の通信装置。
【請求項８】
前記時間枠管理手段は，前記時間枠パラメータに基づき決定した時間枠を，前記時間枠管理表における当該時間枠が割当てられず空いている場合，前記時間枠管理表に割当てることを特徴とする，請求項３に記載の通信装置。
【請求項９】
１又は２以上の通信装置から構成される１又は２以上のネットワークグループにおいて共通のクロック情報を設定するクロック設定手段と；
前記共通クロック情報に基づいて，信号の送信及び／又は受信するための複数の時間枠から構成された所定周期のスーパーフレームを設定するフレーム設定手段と；
前記スーパーフレームにおいて，前記各ネットワークグループ内の各通信装置の少なくともビーコン信号を送信するための時間枠を決定する時間枠決定手段と；
前記ネットワークグループ内の通信装置により前記スーパーフレームに従い所定周期で送信されたビーコン信号を受信するビーコン信号受信手段と；
前記ネットワークグループ内の通信装置からのビーコン信号に記載された信号を送信及び／又は受信するための時間枠と，少なくとも前記決定したビーコン信号を送信するための時間枠とを時間枠管理表に前記クロック情報に基づいて割当てる時間枠管理手段と；
を備えることを特徴とする，通信装置。
【請求項１０】
前記通信装置は，該通信装置と同じ前記ネットワークグループである他の通信装置の存在を把握するために，ビーコン信号をスキャンするスキャン周期を設定するスキャン周期設定手段と；
前記スキャン周期の際に，前記スーパーフレームで定められた所定周期の間，ビーコン信号を受信するビーコン信号受信処理を連続的に実行するスキャン手段と；
前記スキャン手段によるビーコン信号受信処理の都度，前記ネットワークグループに属する通信装置を把握する把握手段とを，さらに備えることを特徴とする，請求項９に記載の，通信装置。
【請求項１１】
前記通信装置は，該通信装置と同じネットワークグループである通信装置からのビーコン信号の受信時刻を自己のクロック情報を基準として計時する計時手段とを備え，
前記時間枠決定手段は，前記計時手段により計時された時刻に該当する時間枠を，前記ネットワークグループに属する通信装置からのビーコン信号を受信するための時間枠として決定し，
前記時間枠管理手段は，前記ビーコン信号の受信が該通信装置における時間枠と同期の取れていない場合，前記計時された時刻に該当する時間枠と，その隣の時間枠とを前記時間枠管理表に記載することを特徴とする，請求項９に記載の通信装置。
【請求項１２】
前記時間枠管理手段は，前記ネットワークグループに属する通信装置からのビーコン信号に記載された前記時間枠パラメータに基づき，前記信号を送信及び／又は受信するための時間枠を決定するとともに，その時間枠を自己のクロック情報を基準としたアクセス時間に変換し，該アクセス時間に基づいて各通信装置のアクセス制御をすることを，特徴とする，請求項９に記載の通信装置。
【請求項１３】
前記通信装置は，前記時間枠管理表に記載された前記時間枠パラメータが設定された前記ビーコン信号を生成するビーコン信号生成手段と；
前記ビーコン信号を送信するビーコン信号送信手段とを備え，
前記ビーコン信号送信手段が前記ビーコン信号生成手段により生成されたビーコン信号を送信することで，前記通信装置と同じネットワークグループに属する他の通信装置に前記ビーコン信号に設定された時間枠パラメータが報知されることを特徴とする，請求項９に記載の通信装置。
【請求項１４】
前記時間枠管理手段は，前記時間枠パラメータに基づき決定した時間枠を，前記時間枠管理表における当該時間枠が割当てられず空いている場合，前記時間枠管理表に割当てることを特徴とする，請求項９に記載の通信装置。
【請求項１５】
自律分散的なネットワークを構築する複数の通信装置において実行される通信方法であって：
信号の送信及び／又は受信するための複数の時間枠から構成された所定周期のスーパーフレームを自己の通信装置のクロック情報に基づいて設定し；
前記スーパーフレームにおいて，少なくともビーコン信号を送信するための時間枠を決定し；
自己の通信装置と通信可能な通信エリア内に存在する他の通信装置により前記スーパーフレームに従い所定周期で送信されたビーコン信号を前記自己の通信装置が受信し；
前記他の通信装置からのビーコン信号に記載された信号を送信及び／又は受信するための時間枠と，少なくとも前記自己の通信装置がビーコン信号を送信するための時間枠とを時間枠管理表に前記自己の通信装置のクロック情報に基づいて割当てることを特徴とする，通信方法。
【請求項１６】
自律分散的なネットワークを構築する複数の通信装置において実行される通信方法であって：
１又は２以上の前記通信装置から構成される１又は２以上のネットワークグループにおいて共通のクロック情報を設定し；
前記共通クロック情報に基づいて，信号の送信及び／又は受信するための複数の時間枠から構成された所定周期のスーパーフレームを設定し；
前記スーパーフレームにおいて，前記各ネットワークグループ内の各通信装置の少なくともビーコン信号を送信するための時間枠を決定し；
前記ネットワークグループ内の通信装置により前記スーパーフレームに従い所定周期で送信されたビーコン信号を受信し；
前記ネットワークグループ内に存在する通信装置からのビーコン信号に記載された信号を送信及び／又は受信するための時間枠と，少なくとも前記決定したビーコン信号を送信するための時間枠とを時間枠管理表に前記クロック情報に基づいて割当てることを特徴とする，通信方法。